(57)【特許請求の範囲】
【請求項１】
テーブルに取り付けられ、幼児が着座できるテーブルチェアであって、
左右と後方と着座部を覆う着座カバーと、前記着座カバーの上部に挿入される背パイプと、着座部に組み込まれる座板と、からなる着座体と、
股ベルトと、前記股ベルトを左右に吊り上げるセーフティベルトと、腰ベルトとからなり、前記着座体に取り付けられるベルト部材と、
前記背パイプの両端に着脱可能に取り付けられる上部パイプと、前記上部パイプに溶接される下部パイプと、前記上部パイプに冠せられるキャップと、前記下部パイプに設けられるノブと、からなる固定具と、が備えられ、
前記背パイプには、両端に係止突起が設けられ、前記上部パイプの各々には、円周方向に延びる長尺な係止孔が設けられ、
前記背パイプの前記係止突起は、一方が下方向に突出し、他方が内側に向かって水平方向に突出し、前記上部パイプの各々は、前記係止突起を受ける前記係止孔が、左右とも同一の位置に設けられることを特徴とするテーブルチェア。
【請求項２】
前記係止孔には、軸方向に延びるガイド孔が連設されていることを特徴とする請求項１に記載のテーブルチェア。
【請求項３】
前記着座体は、外側底部に設けられたポケットに、収納袋が引き出し可能に縫い付けられていることを特徴とする請求項１に記載のテーブルチェア。
【発明の詳細な説明】
【技術分野】
【０００１】
本発明は、テーブルチェアに係り、より詳しくは、折り畳みの操作が容易で、持ち運びが便利なテーブルチェアに関する。なお、テーブルチェアは、テーブルに取り付けて、幼児が着座できるベビーチェアを示すものとする。
【背景技術】
【０００２】
特許文献１には、テーブルに固定できるベビーチェアが開示されている。このベビーチェアは、脚付きの大きな幼児椅子とは異なり、かさばらないので、車に積んで旅行などに持ち運びができる。このベビーチェアは、上部アームと下部アームで構成される固定具と、着座部を有する着座体からなり、固定具でテーブルを挟み込み、着座体をテーブルの縁に固定する。なお、特許文献１にはベビーチェアの収納や折り畳みについての記載はない。
特許文献２には、テーブルに取り付けて使用するベビーチェアが開示される。図６によれば、ベビーチェアは、テーブルから取り外した後、下部アームが２つの上部アームの間の空間に収まるように回動でき、高さがかさばらないように小さくできる。下部アームには、上部アームに挿入される回動パイプが設けられて、軸方向には抜け止めのネジが装着される。しかしながら、上部アームは、着座部の背フレームが延長されたもので、下部アームを回動した状態でも、前後方向の長さが長く、収納や持ち運びが容易でない。
【０００３】
そこで、背フレームと上部アームを分離し、背フレームのパイプに突起を設け、分離した上部アームに係止孔を設け、着脱可能に結合してロックすることが考えられる。しかしながら、係止突起を係止孔に係止させロックしても、係止突起を指先等で内部に強く押し戻さない限り、上部アームが回動しないので、折り畳みの操作が面倒で使いにくい。すなわち特許文献２に示される回動パイプのような滑らかな回動が得られない。
【先行技術文献】
【特許文献】
【０００４】
【特許文献１】中国実用新案第２０３３２８３４６号
【特許文献２】特開平９−２５２８９０号公報
【発明の概要】
【発明が解決しようとする課題】
【０００５】
本発明の目的は、折り畳みの操作が容易で、持ち運びが便利なテーブルチェアを提供することにある。
【課題を解決するための手段】
【０００６】
本発明は、テーブルに取り付けられ、幼児が着座できるテーブルチェアであって、左右と後方と着座部を覆う着座カバーと、前記着座カバーの上部に挿入される背パイプと、着座部に組み込まれる座板と、からなる着座体と、股ベルトと、前記股ベルトを左右に吊り上げるセーフティベルトと、腰ベルトとからなり、前記着座体に取り付けられるベルト部材と、前記背パイプの両端に着脱可能に取り付けられる上部パイプと、前記上部パイプに溶接される下部パイプと、前記上部パイプに冠せられるキャップと、前記下部パイプに設けられるノブと、からなる固定具と、が備えられ、前記背パイプには、両端に係止突起が設けられ、前記上部パイプの各々には、円周方向に延びる長尺な係止孔が設けられ、前記背パイプの前記係止突起は、一方が下方向に突出し、他方が内側に向かって水平方向に突出し、前記上部パイプの各々は、前記係止突起を受ける前記係止孔が、左右とも同一の位置に設けられることを特徴とする。
【０００８】
前記係止孔には、軸方向に延びるガイド孔が連設されていることを特徴とする。
【０００９】
前記着座体は、外側底部に設けられたポケットに、収納袋が引き出し可能に縫い付けられていることを特徴とする。
【発明の効果】
【００１０】
本発明によるテーブルチェアによれば、背パイプと上部パイプは、一方に係止突起を設け、他方に円周方向に延びる長尺な係止孔を設け、両者を着脱可能に係止させたので、背パイプのある着座体と、上部パイプのある固定具を分離できる。すなわちより小さく収納できる。円周方向に延びる長尺な係止孔は、係止突起を係止孔に係合させた場合、着座体が前後方向には動かないようにできる。また、長尺な係止孔は、係止突起を内部に押し戻さなくても固定具を容易に回動できる。
すなわち、固定具を内側に回動すれば手にぶら下げての持ち運びが容易で、かつテーブルチェアの厚みを小さくできる。
【００１１】
背パイプの一方の係止突起を下方向に突出させ、背パイプの他方の係止突起を内側方向に向かって水平方向に突出させたので、上部パイプの係止孔は、長尺な孔を左右とも同じ位置に設けることができ、左固定具と右固定具を共通の部材にできる。左固定具と右固定具を区別する必要がなく、部材の管理が容易になる。
【００１２】
係止孔に軸方向に延びるガイド孔を連設したので、固定具を背パイプから分離する場合や取り付ける場合に、係止突起を指等で押圧し、強く押し戻さなくてもよいので、着脱操作が容易にできる。固定具を着座体から分離し、前後方向の長さを短くして収納スペースを小さくすることが容易になる。
【００１３】
着座体の外側底部のポケットに収納袋を引き出し可能に縫い付けたので、収納袋を紛失することがなく、テーブルチェアを収納でき、持ち運びに便利である。
【図面の簡単な説明】
【００１４】
【図１】本発明によるテーブルチェアの斜視図である。
【図２】図１に示す背パイプで、（Ａ）は平面図、（Ｂ）は正面図、（Ｃ）は右側面図である。
【図３】図１に示す右固定具の左側面図である。
【図４】係止突起と係止孔の関係を示す断面図で、（Ａ）は、左固定具と右固定具が真下を向いている場合、（Ｂ）は、左固定具と右固定具を内側に回動させた場合を示す断面図である。
【図５】固定具を内側に回動させて折り畳んだ図である。
【図６】係止孔にガイド孔が連設される場合の説明図である。（Ａ）は右斜視図、（Ｂ）は左斜視図である。
【図７】係止突起と係止孔の関係を示す断面図で、（Ａ）は、左固定具と右固定具が真下を向いている場合、（Ｂ）は、左固定具と右固定具を内側に回動させた場合、（Ｃ）は、左固定具と右固定具を背パイプから外す場合を示す断面図である。
【図８】固定具を着座体から分離する場合の説明図である。
【図９】テーブルチェアを収納袋に収納した場合の説明図である。
【図１０】座板の斜視図である。
【図１１】股ベルトと腰ベルトが結合される部分の斜視図である。
【図１２】テーブルチェアをテーブルに取り付けた場合の斜視図である。
【発明を実施するための形態】
【００１５】
以下、図面を参照して、本発明によるテーブルチェアについて詳しく説明する。
【実施例】
【００１６】
図１は、本発明によるテーブルチェア１００の斜視図である。テーブルチェア１００は、着座体９と固定具４からなる。着座体９は、左右と後方と底部が着座カバー８で覆われ、上部にはＵ字形の背パイプ１２が挿入され、股ベルト７と腰ベルト６が設けられる。固定具４は、左固定具４ａと右固定具４ｂからなり、着座体９の前方左右にそれぞれ着脱可能に設けられ、テーブルを挟み込んで着座体９をテーブルに固定する。
【００１７】
固定具４は、金属製の上部パイプ１０ａと下部パイプ１０ｂからなる。上部パイプ１０ａは背パイプ１２より太く、背パイプ１２が上部パイプ１０ａに着脱可能に挿入できるものとする。上部パイプ１０ａの先端には、ゴムのキャップ１が冠せられる。下部パイプ１０ｂは、Ｊ字形に湾曲したパイプで、上端が上部パイプ１０ａに溶接され、上方向を向いた下端にはノブ３が設けられる。ノブ３は、一方に回動すると上昇するので、キャップ１と合わせてテーブルを挟み込むことができる。セーフティベルト２は、股ベルト７の上部に取り付けられ、両端の輪が上部パイプ１０ａをくぐって、股ベルト７がＴ字ベルトとなるように取り付けられる。バックルカバー５は、腰ベルト６の前方結合部を覆うように設けられる。着座カバー８の前方には、延長部が設けられ、ホックで下部パイプ１０ｂの脚を覆うように留めることができる。
【００１８】
図２は、図１に示す背パイプ１２で、（Ａ）は平面図、（Ｂ）は正面図、（Ｃ）は右側面図である。背パイプ１２は金属製で、その一端の下側と、他端の左側に係止突起１３が設けられる。係止突起１３は、上部パイプ１０ａに背パイプ１２を挿入した後、抜けないようにするためのものである。背パイプ１２は後方側の高さがやや高く、幼児の背中を受け止めやすくしている。
【００１９】
図３は、図１に示す右固定具４ｂの左側面図である。キャップ１はゴム製で、底部に滑り止め凹凸２０が設けられる。テーブルの上面に置いた時に滑らないようにしている。ノブ３は、内部にオネジのボルト（図示せず）が設けられており、このボルトが下部パイプ１０ｂの内周に設けられたメネジに螺合している。そのため、ノブ３は、一方に回すと上昇し、他方に回すと下降する。これにより、テーブルの板厚が２〜８ｃｍのものを挟んで固定できる。上部パイプ１０ａの後端には、係止孔１５が設けられる。係止孔１５は、長尺な孔で円周方向に延び、約９０度の角度をカバーする長さである。係止孔１５に係止突起１３が係合する。係止突起１３は、板バネに弾設されており、強く押圧するとパイプ内に押し戻すことができる。
【００２０】
図３に示すように、上部パイプ１０ａを背パイプ１２の方向に押し込むことで、上部パイプ１０ａの内側に背パイプ１２が挿入される。この時、係止突起１３は、指等で押圧し突出させない状態にする。上部パイプ１０ａと背パイプ１２が結合すると、係止突起１３は係止孔１５に至る。係止突起１３は、係止孔１５から板バネの弾力で突出させている。左固定具４ａと右固定具４ｂでは、上部パイプ１０ａの係止孔１５がどちらも同じ位置にあるので、左固定具４ａと右固定具４ｂは左右交換可能である。なお、左固定具４ａは、図３に示す右固定具４ｂと同様であるので、図及び説明は省略する。
【００２１】
図４は、係止突起１３と係止孔１５の関係を示す断面図で、（Ａ）は、左固定具４ａと右固定具４ｂが真下を向いている場合、（Ｂ）は、左固定具４ａと右固定具４ｂを内側に回動させた場合を示す断面図である。断面の位置は、図３のＡ−Ａで示す位置とする。図３の引き出し円の中に示すような係止孔１５が形成された場合を係止孔の構成例１とする。図４（Ａ）に示すように、左固定具４ａにおいては、係止突起１３が背パイプ１２に下方向を向いて取り付けられるので、係止突起１３は係止孔１５の下端に位置する。一方、右固定具４ｂにおいては、係止突起１３が左方向を向いて取り付けられるので、係止突起１３は係止孔１５の上端に位置する。なお、三角印は係止孔１５の上端の位置を示す。図４（Ｂ）に示すように、左固定具４ａを内側に回動させると、係止孔１５が反時計回りに約９０度回動する。係止突起１３は係止孔１５の上端（三角印）の位置に来る。一方、右固定具４ｂを内側に回動させると、係止孔１５が時計回りに約９０度回動する。係止突起１３は係止孔１５の下端の位置に来る。
【００２２】
図５は、固定具４を内側に回動させて折り畳んだ図である。丸１に示すように、右固定具４ｂを内側に回動し、丸２で示すように左固定具４ａを内側に回動する。この場合、湾曲した下部パイプ１０ｂ、１０ｂが交差するので、手でつかみやすく、テーブルチェア１００をぶら下げて持ち運ぶことができる。右固定具４ｂと左固定具４ａを回動し、すなわち下部パイプ１０ｂ、１０ｂを回動して、着座カバー９をたたみ込むと、着座体９の厚みが薄くなる。
【００２３】
図６は、係止孔１５にガイド孔１４が連設される場合の説明図である。（Ａ）は右斜視図、（Ｂ）は左斜視図である。ガイド孔１４を係止孔１５に連設する場合を係止孔の構成例２とする。構成例２は、係止孔１５にガイド孔１４を連設したので、固定具４の着脱が容易となる。しかも、左固定具４ａと右固定具４ｂを共通の部材に使用できる。係止孔１５は円周方向に延び、約１８０度の角度をカバーする長さである。一方、ガイド孔１４は、上部パイプ１０ａの端部に開口しているので、係止突起１３が挿入しやすい。ガイド孔１４は、係止突起が通過できればよいので半円形の筒型のものとしてもよい。
【００２４】
図７は、係止突起１３と係止孔１５の関係を示す断面図で、（Ａ）は、左固定具４ａと右固定具４ｂが下方向を向いている場合、（Ｂ）は、左固定具４ａと右固定具４ｂを内側に回動させた場合、（Ｃ）は、左固定具４ａと右固定具４ｂを背パイプ１２から外す場合を示す断面図である。図７（Ａ）に示すように、左固定具４ａにおいては、係止突起１３が背パイプ１２に下方向を向いて取り付けられるので、係止突起１３は係止孔１５の下端に位置する。一方、右固定具４ｂには、係止突起１３が左方向を向いて取り付けられるので、係止突起１３は係止孔１５の中間地点に位置する。なお、黒三角印は係止孔１５の上端の位置を示すとする。この位置に、ガイド孔１４が設けられる。
【００２５】
図７（Ｂ）に示すように、左固定具４ａを内側に回動させると、係止孔１５が反時計回りに約９０度回動する。係止突起１３は係止孔１５の中間地点に来る。これに対し、右固定具４ｂは、右固定具４ｂを内側に回動させると、係止孔１５が時計回りに約９０度回動する。係止突起１３が係止孔１５の下端の位置に来る。これにより、左固定具４ａと右固定具４ｂを折り畳むことができる。
【００２６】
図７（Ｃ）に示すように、左固定具４ａを反時計回りに、さらの９０度回動させるとする。その場合、係止孔１５が回動して、係止突起１３の位置に、係止孔１５の上端（黒三角印）が来る。そのため係止突起１３が、左固定具４ａのガイド孔１４を通過できるので、背パイプ１２から分離できる。一方、右固定具４ｂを図７（Ｂ）の状態から、反時計回りに約１８０度回動させるとする。その場合、係止孔１５が回動して、係止突起１３の位置に、係止孔１５の上端（黒三角印）が来る。そのため、係止突起１３が、右固定具４ｂのガイド孔１４を通過できるので、背パイプ１２から分離できる。
【００２７】
図８は、固定具４を着座体９から分離する場合の説明図である。丸１に示すように、右固定具４ｂを回動し、丸２に示すように引き抜く。同様に、丸３で示すように左固定具４ａを回動し、丸４に示すように引き抜く。着座体９の底面にはポケットが設けられ、収納袋１９が縫い付けられている。これを引き出すと、収納袋１９は、裏返し状態にある。収納袋１９をめくり返して、テーブルチェア１００を収納する。
【００２８】
図９は、テーブルチェア１００を収納袋１９に収納した場合の説明図である。図９に示すように、固定具４が背パイプ１２から外れるので、左固定具４ａと右固定具４ｂを収納袋１９に、着座体９とは分離して収納できる。収納袋１９の深さは約２０ｃｍで、固定具４を背パイプ１２から外さない場合の半分の長さに小さくできる。
【００２９】
図１０は、座板１６の斜視図である。座板１６は袋体で、内部にはベース板と、クッション材が収納されている。着座体９には、座板１６用のポケットが設けられており、ここに座板１６を収納する。座板１６を取り出し、さらに着座カバー８から、背パイプ１２を引き抜くと、着座体９は布材だけとなるので、さらに小さく収納できる。
【００３０】
図１１は、股ベルト７と腰ベルト６が結合される部分の斜視図である。腰ベルト６は、左右の端部が、バックル１７で結合される。バックル１７は、股ベルト７に連結されている。股ベルト７には、セーフティベルト２が縫い付けられる。セーフティベルト２の左右端にはリング２ａが設けられ、上部パイプ１０ａをくぐらせている。バックルカバー５は、バックル１７を覆ってホック留めされる。
【００３１】
図１２は、テーブルチェア１００をテーブル２１に取り付けた場合の斜視図である。バックルカバー５がバックル１７を覆っているので、バックル１７に幼児の指が挟まれることを防止できる。キャップ１とノブ３でテーブル２１に確実にテーブルチェア１００を固定できる。股ベルト７は、幼児が下方向に滑り落ちるのを防止できる。腰ベルト６は、幼児がテーブル２１の上に抜け出すのを防止できる。
【産業上の利用可能性】
【００３２】
本発明は、持ち運びが容易で、コンパクトに収納できるテーブルチェアとして好適である。なお、本実施例では、背パイプに係止突起を設け、上部パイプに係止孔を設けたが、逆の背パイプに係止孔を設け、上部パイプに係止突起を設けて、背パイプの内側に上部パイプが挿入される構成にすることもできる。
【符号の説明】
【００３３】
１    キャップ
２    セーフティベルト
３    ノブ
４    固定具
４ａ    左固定具
４ｂ    右固定具
５    バックルカバー
６    腰ベルト
７    股ベルト
８    着座カバー
９    着座体
１０    パイプ
１０ａ    上部パイプ
１０ｂ    下部パイプ
１２    背パイプ
１３    係止突起
１４    ガイド孔
１５    係止孔
１６    座板
１７    バックル
１８    バックル留め
１９    収納袋
２０    滑り止め凹凸
２１    テーブル
１００    テーブルチェア
【図１】
0006574126.tif 000002
【図２】
0006574126.tif 000003
【図３】
0006574126.tif 000004
【図４】
0006574126.tif 000005
【図５】
0006574126.tif 000006
【図６】
0006574126.tif 000007
【図７】
0006574126.tif 000008
【図８】
0006574126.tif 000009
【図９】
0006574126.tif 000010
【図１０】
0006574126.tif 000011
【図１１】
0006574126.tif 000012
【図１２】
0006574126.tif 000013